(57)【特許請求の範囲】
【請求項１】
替刃リムーバ部と替刃装着部を備え、替刃を取り外す替刃リムーバ部は替刃を収納する替刃収納室と、替刃収納室に通ずる替刃挿入口と、替刃収納室に配置された替刃を押圧する替刃押圧部材を含み、替刃を装着する替刃装着部は替刃を装填する替刃装填室と、替刃装填室に通ずる替刃挿入口と、替刃装填室に配置された替刃を保持する替刃保持部材を含み、替刃リムーバ部と替刃装着部を一体に設けた刃物の替刃装脱着器において、替刃リムーバ部の細長の替刃挿入口と替刃装着部の細長の替刃挿入口はその細長い方向が交差しかつ前後逆方向に向けて配置され、上側壁と下側壁、内側壁と外側壁、前側壁に囲まれた替刃装填室を有する替刃装着部は、少なくとも３個の位置決め部として、外側壁の内面に形成され、替刃挿入口から前側壁へ連続して延び、装填された替刃の刃先に近接する刃先側と刃体の長手方向に当接して刃先側から替刃を規制する直線状の第１規制レールと、外側壁の内面に形成され、替刃の背部と当接して背部側から替刃を規制する第２規制レールと、内側壁に突出して形成され、刃体と面接触して刃体の側面側から替刃を規制する膨出部を有する刃物の替刃装脱着器。
【請求項２】
前記膨出部は替刃装填室に装填される替刃の側面部とほぼ対応する形状、大きさとし、前記第２規制レールは上壁から直線状の第１規制へと傾斜状に延びかつ先端が第１規制レールと若干の間隔を置いて配設され、対向する背部の前方部と当接して替刃を背部側から規制する請求項１に記載の刃物の替刃装脱着器。
【請求項３】
前記替刃保持部材は、外側壁との接続部を基端部とし先端が自由端である替刃装填室の外側に設けられ、替刃装填室内側へ突出する裏面の凹凸部と替刃装填室内の替刃の表面の凹凸部との当接により基端部から替刃装填室の外側へ変位するとともに、裏面の凹凸部と替刃の表面の凹凸部が係合して替刃が保持される請求項１、２に記載の刃物の替刃装脱着器。
【請求項４】
前記替刃保持部材は、外側壁との接続部を基端部とし先端が自由端である替刃装填室の外側に設けられ、替刃装填室内側へ突出する裏面と替刃装填室内の替刃との当接により基端部から替刃装填室の外側へ変位して替刃が弾接状態で保持される請求項１、２に記載の刃物の替刃装脱着器。
【請求項５】
替刃押圧部材は、側壁との接続部を基端部とし先端が自由端である替刃収納室の表面から突出する爪片であり、爪片の押圧により基端部から替刃収納室内側へ変位する一方、裏面に形成された凹凸部と替刃の表面に形成された凹凸部との係合により替刃の前後方向の移動が阻止される請求項１に記載の刃物の替刃装脱着器。
【発明の詳細な説明】
【技術分野】
【０００１】本発明は、着脱可能に替刃を装着する鋏などの刃物において、刃物の本体に対して替刃を装着しあるいは取り外すための刃物の替刃装脱着器に関する。
【背景技術】
【０００２】替刃を鋏などの刃物の本体に対して替刃を装着しあるいは取り外すための替刃装脱着器が開発されている。替刃装脱着器のもつ利便性にかんがみ、ユーザー間では替刃装脱着器における操作の容易性や確実性を増大することが強く要請されている。
【特許文献１】実公昭５５−２２７公告公報
【特許文献２】実公昭６１−４３４５３公告公報
【特許文献３】特許第２９１２８２９号特許公報
【発明の開示】
【発明が解決しようとする課題】
【０００３】本発明は従来の替刃脱着器を改良し、より簡易かつ確実に替刃を装脱着できる刃物の替刃装脱着器の提供を課題とする。また利便性と使い勝手に優れた刃物の替刃装脱着器の提供を課題とする。
【課題を解決するための手段】
【０００４】上記課題を解決するため本発明に係る刃物の替刃装脱着器は次のような手段をとる。すなわち、替刃リムーバ部と替刃装着部を備え、替刃を取り外す替刃リムーバ部は替刃を収納する替刃収納室と、替刃収納室に通ずる替刃挿入口と、替刃収納室に配置された替刃を押圧する替刃押圧部材を含み、替刃を装着する替刃装着部は替刃を装填する替刃装填室と、替刃装填室に通ずる替刃挿入口と、替刃装填室に配置された替刃を保持する替刃保持部材を含み、替刃リムーバ部と替刃装着部を一体に設けた刃物の替刃装脱着器において、替刃リムーバ部の細長の替刃挿入口と替刃装着部の細長の替刃挿入口はその細長い方向が交差しかつ前後逆方向に向けて配置され、上側壁と下側壁、内側壁と外側壁、前側壁に囲まれた替刃装填室を有する替刃装着部は、少なくとも３個の位置決め部として、外側壁の内面に形成され、替刃挿入口から前側壁へ連続して延び、装填された替刃の刃先に近接する刃先側と刃体の長手方向に当接して刃先側から替刃を規制する直線状の第１規制レールと、外側壁の内面に形成され、替刃の背部と当接して背部側から替刃を規制する第２規制レールと、内側壁に突出して形成され、刃体と面接触して刃体の側面側から替刃を規制する膨出部を有する。また、前記膨出部は替刃装填室に装填される替刃の側面部とほぼ対応する形状、大きさとし、前記第２規制レールは上壁から直線状の第１規制へと傾斜状に延びかつ先端が第１規制レールと若干の間隔を置いて配設され、対向する背部の前方部と当接して替刃を背部側から規制する。そして前記替刃保持部材は、外側壁との接続部を基端部とし先端が自由端である替刃装填室の外側に設けられ、替刃装填室内側へ突出する裏面の凹凸部と替刃装填室内の替刃の表面の凹凸部との当接により基端部から替刃装填室の外側へ変位するとともに、裏面の凹凸部と替刃の表面の凹凸部が係合して替刃が保持される。また前記替刃保持部材は、外側壁との接続部を基端部とし先端が自由端である替刃装填室の外側に設けられ、替刃装填室内側へ突出する裏面と替刃装填室内の替刃との当接により基端部から替刃装填室の外側へ変位して替刃が弾接状態で保持される。そして替刃押圧部材は、側壁との接続部を基端部とし先端が自由端である替刃収納室の表面から突出する爪片であり、爪片の押圧により基端部から替刃収納室内側へ変位する一方、裏面に形成された凹凸部と替刃の表面に形成された凹凸部との係合により替刃の前後方向の移動が阻止される。
【発明の効果】
【０００５】本発明にかかる刃物の替刃装脱着器によれば、刃物の本体に対して替刃を容易かつ確実に装脱着できる。また替刃に直接手を触れることなく替刃が装脱着でき、利便性と使い勝手に優れたものとなっている。
【発明を実施するための最良の形態】
【０００６】本発明を実施するための最良の形態について説明する。刃物の替刃装脱着器は、替刃リムーバ部および／または替刃装着部を備える。替刃リムーバ部と替刃装着部は一体に設けることができる。またそれぞれ分離された別体としてもよい。替刃リムーバ部では刃物に着脱可能に装着された替刃（通常は使用済みの替刃）を刃物本体から取り外す。替刃を取り外す替刃リムーバ部は、替刃を収納する替刃収納室と、替刃収納室に通ずる替刃挿入口と、替刃収納室に配置された替刃を押圧する替刃押圧部材を備える。そこで替刃挿入口から刃物の替刃を替刃収納室に挿入し、替刃収納室に配置された刃物の替刃を替刃押圧部材により押圧し、替刃の前後方向の移動を阻止した状態で刃物本体を替刃挿入口から引き抜いて替刃を刀身から取り外すように構成した（使用済み替刃の取り外し）。【０００７】替刃装着部では替刃（通常は未使用の替刃）を刃物本体に装着する。替刃を装着する替刃装着部は、替刃を装填する替刃装填室と、替刃装填室に通ずる替刃挿入口と、替刃装填室の替刃を保持する替刃保持部材を備える。替刃装填室には替刃挿入口から挿入した刃物の替刃が装填される。替刃装填室に配置された刃物の替刃を替刃保持部材により保持し、替刃の後端部における刀身挿入口から刃物の刀身を鞘部に挿入するとともに替刃を装着し、替刃の装着された刀身を替刃挿入口から取り出すように構成した（未使用替刃の装着）。【０００８】替刃リムーバ部と替刃装着部を一体に設けた刃物の替刃装脱着器において、替刃リムーバ部の替刃挿入口と刃装着部の替刃挿入口は、一方の細長の替刃挿入口を水平方向、他方の細長の替刃挿入口を垂直方向とした交差状など異なる方向に配置した。替刃挿入口を異なる方向に配置したから、替刃の取り外と替刃の装着という異なる性質の操作を確実におこなうことができる。替刃挿入口の開口の方向、配置などに制限はない。【０００９】替刃挿入口から外側に露出する刃体を含む替刃の後端部に対して、少なくとも一側方からの接触を遮蔽する保護部材を折り曲げ可能あるいは折り取り可能に設けた。替刃リムーバ部に装着された替刃、刃装着部に装填された替刃については、後端部（刃体や鞘部の刀身挿入口などを含む）が露出している。このような後端部に対しては少なくとも一側方からの接触を遮断する保護部材が設けてある。保護部材は後端部の全体を覆うもの（但し着脱可能とする）あるいは側方のみを遮断するものなどその構造は任意である。これにより替刃の後端部への接近を阻止あるいは遮断し、替刃の後端部を保護する。【００１０】このように刃物の替刃装脱着器は、替刃の取り外しの機能および／または替刃の装着の機能を備え、替刃リムーバ部による替刃の取り外しと替刃装着部による替刃の装着をおこなうことができる。いずれも替刃に直接手を触れることなく替刃の取り外しおよび／または替刃の装着をおこなうことができる。替刃リムーバ部と替刃装着部は一体として設けてあるが、別体としもよい。替刃リムーバ部と替刃装着部を組み合わせて用いるが、単独で用いてもよい。
【実施例】
【００１１】以下本発明の実施例について添付の図面を参照して説明するが、まず鋏とその替刃の構造について説明する。なお刃物は鋏３０に限定されない。鋏は一対の鋏構成部材３１が交差状に開閉されるよう枢着されている。軸部３２の前方側が一対の刀身３３となり、刀身３３には替刃が着脱可能に装着される。すなわち切れの低下した使用済みの替刃を刀身３３から取り外し、未使用の替刃を刀身３３に装着する。替刃２５は後端部３５あるいはその近傍において幅（高さ）と厚みが最大であり、後端部３５から先端部３６に向け幅狭となっている。替刃２５は刃先１４を有する刃体３７と、刃体３７と一体に設けられた鞘部３９を備える。未装着の替刃に対しては、刀身挿入口２７から鋏の刀身３３を替刃の鞘部３９に強制的に挿入すると、刀身に替刃が装着される（替刃の装着）。また既装着の替刃に対しては、替刃の鞘部３９から刀身３３を強制的に引き抜くと替刃が鋏本体（刀身３３）から取り外される（替刃の取り外し）。以上の鋏およびその替刃の基本構造は公知である（例えば前記特許文献１など）。なお替刃の幅、厚みが最大となる替刃の後端部３５あるいはその近傍、具体的には刃体３７に設けられた鞘部３９の表面に凹凸部２６が形成されている。
【実施例１】
【００１２】実施例１にかかる刃物の替刃装脱着器５０は替刃リムーバ部１と替刃装着部２が一体に設けてある。鋏（本体）には替刃が着脱可能に装着されており、替刃リムーバ部１において装着されている替刃２５を鋏本体から取り外す。なお鋏本体とは鋏のうち替刃を除く部分をいう。替刃リムーバ部１は上壁５１と底部５２、前後壁５３、２３、左右側壁５９からなる箱状であり、内部に替刃収納室３が形成されている。替刃収納室３には取り外された替刃が収納されるが、替刃収納室３は替刃の取り外しの際に替刃２５が配置される空間でもある。【００１３】替刃リムーバ部１の上部には前壁よりやや後退して替刃挿入口５形成されている。細長の替刃挿入口５が水平方向に配置されている。替刃挿入口５は替刃収納室３に通じ、鋏本体に装着された替刃が替刃挿入口５から替刃収納室３に挿入される。替刃は替刃リムーバ部１の長さ方向、つまり前後方向に移動し、替刃収納室３に挿入される。替刃収納室３の上壁内面には直線状の第１規制レール１１が替刃挿入口５から後壁まで延びている。替刃の鞘部３９と第１規制レール１１が当接し、替刃収納部３に配置される替刃の位置ズレが阻止される。【００１４】替刃挿入口５には替刃を載置する平面状の支持台６が設けてある。支持台６は替刃リムーバ部１の前端部から替刃挿入口５に続き、さらに替刃挿入口５を越えて後方へ延びている。その端部は替刃収納室３内にあり、後述の替刃押圧部材Ａに対応する位置まで延びている。なお取り外された替刃が自重などで替刃収納室３内に落下しやすいように、支持台５７の端部は替刃収納室３のほぼ中間部までとするのが好ましい。支持台６のうち替刃挿入口５より後方に延びる部分は、底部５２の前端部が垂直方向に立ち上がる一方、その上部前端部から後方に屈曲して延びる水平板により形成されている。替刃は後端部３５あるいはその近傍が支持台６に支持されるとともに、替刃収納室３に配置される。なお支持台６は替刃挿入口５から挿入される替刃を案内する機能も有する。【００１５】上壁には替刃挿入口５からやや後退して替刃押圧部材Ａが設けてある。替刃押圧部材Ａは替刃収納室３に配置される替刃を押圧し、少なくとも替刃の前後方向の移動を阻止する機能を持つ。替刃押圧部材Ａが他の機能を併有することを妨げない。替刃押圧部材Ａは上壁５１との接続部を基端部７とし、先端を自由端とする爪片の形態をとる。替刃押圧部材Ａは付加される外力により基端部７を基点とする撓みと変位を生ずる一方、外力の解除により撓みによる弾性復元力が働き元の位置に復帰する。【００１６】図示の場合、替刃収納室３の表面から突出する替刃押圧部材Ａを押し下げると、基端部７を基点として替刃押圧部材Ａが撓むとともに替刃収納室３内側へ変位する。この変位により替刃収納室３の替刃２５が押圧され（通常は替刃押圧部材Ａの裏面が替刃に当接する）、替刃の前後方向の移動が阻止される。あるいは替刃押圧部材Ａの裏面２９に形成された凹凸部５５と替刃の表面に形成された凹凸部２６が対向する位置にあり、両凹凸部５５、２６の係合により替刃の前後方向の移動が阻止される。この状態で鋏本体を替刃挿入口５から引き抜くと替刃が刀身５３から取り外される。一方、押圧を中止すると、替刃押圧部材Ａは弾性復元力により元の位置に復帰し、替刃押圧部材Ａによる押圧あるいは替刃との当接が解除される。取り外された替刃はバランスを失するなどして支持台６から自重で落下し、使用済みの替刃が替刃収納室３に収納される。【００１７】替刃装着部２においては替刃２５が鋏本体に装着される。替刃装着部２は替刃リムーバ部１を本体としその左右側壁５９に配設されている。替刃装着部２は上側壁６０と下側壁６１、内側壁６５と外側壁６３、前側壁６６を備え、内部に替刃装填室９が形成されている。替刃装填室９に未使用の替刃が装填される。後端側に細長の替刃挿入口１５が垂直方向に形成され、替刃挿入口１５は替刃装填室９に通じている。替刃挿入口１５はいずれも後方側へ開口し、替刃（未使用の替刃）は後方の替刃挿入口１５から替刃装填室９へと挿入される（替刃リムーバ部の場合とは逆の方向）。替刃挿入口１５は前後のいずれの方向に開口してもよく、またそれぞれ異なる方向に開口してもよい。挿入された替刃は先端部３６が前側壁６６（の内面）と当接しその進入が阻止される。すなわち前側壁６６がストッパとなって替刃の前後方向の位置を規制し、挿入された替刃が替刃装填室９の所定位置に配置される。【００１８】替刃装填室９ではさらに替刃の位置規制をおこなう。まず外側壁６３の内面において第１規制レール２０が替刃挿入口１５から前側壁６６まで連続して延び、装填された替刃２５を刃先１４側から規制する。すなわち替刃は鞘部３９の刃先１４側（比較的に刃先１４に近接する部分）が直線状の第１レール２０と当接し、替刃装填室９に配置された替刃の位置ズレを阻止する。替刃の表面（鞘部３９の表面）は刃先１４側が刃先１４方向へ傾斜しているため、当接する第１規制レール２０の上面もこれに対応して傾斜している（図２４参照）。【００１９】次に第２規制レール２１は替刃を背部２９側から規制する。替刃では刃体３７の刃先１４が直線状に延びているが、背部２９は後端部３５から先端部３６へ傾斜状となっている（図４参照）。替刃２５の中間部から先端部３６にかけて幅狭となり、配置上の安定性が問題となる。外側壁６３の内面に形成された第２規制レール２１は上壁を起点とし直線状の第１規制に向けて傾斜状に延び、先端は第１規制レール２０と若干の間隔をおく（図８参照）。第２規制レール２１は替刃装填室９に配置された替刃の背部２９、特に前方部における背部２９と当接し、替刃装填室９内における替刃（先端部３６など）の位置ズレを防止する。【００２０】替刃装填室９の内側壁６５（本体である替刃リムーバ部１の左右側壁５９でもある）には膨出部１０が形成されている。膨出部１０は替刃装填室９の替刃を刃体３７側から規制する。膨出部１０は内側壁からわずかに突出する面状部である。膨出部１０は配置される替刃の刃体３７とほぼ対応した位置に形成される。また大きさ、形状についても替刃の刃体３７と対応したものとするのが好ましい。替刃装填室９に装填された替刃は刃体３７が膨出部１０と面接触しその摩擦力により安定して保持される。【００２１】替刃装填室９は替刃保持部材Ｂを備える。替刃保持部材Ｂは替刃装填室９内の替刃を保持するものであり、少なくとも装填された替刃が脱落しないようにする。替刃保持部材Ｂは替刃装填室９の外側壁６３に替刃挿入口１５からやや後退して設けてある。替刃保持部材Ｂは外側壁６３との接続部を基端部１７とし、先端を自由端とする爪片の形態をとる。替刃保持部材Ｂは付加される外力により基端部１７を基点とする撓みと変位を生ずる一方、外力の解除により撓みによる弾性復元力が働き元の位置に復帰する。【００２２】図示の場合、替刃装填室内に替刃保持部材Ｂの裏面２４が突出している。そこで替刃装填室９に挿入された替刃に当接すると、基端部１７を基点として撓む替刃保持部材Ｂが替刃装填室９の外側へ変位し、変位した替刃保持部材Ｂにより弾接状態などで保持される。あるいは替刃保持部材Ｂの裏面の凹凸部５６が替刃の表面の凹凸部２６と対向し、両凹凸部５６、２６の係合により替刃の保持がされる。これにより少なくとも替刃装填室９からの替刃の脱落が阻止される。【００２３】替刃装填室９に装填された替刃２５は後端部３５（刃体３７や鞘部の刀身挿入口２７を含む）が替刃挿入口１５から露出している。このような後端部３５に対しては少なくとも一側方からの接触を遮断する保護部材１３が設けてある。保護部材１３は、替刃装着部２（替刃装填室９）の外側壁６３から連続して後方に延びる板状の外側保護片１１と、上下側壁６０、６１から溝部４を介在して後方に延びる上下保護片１２とを含む。外側保護片１１と上下保護片１２はいずれも板状である。外側保護片１１は側方からの替刃の後端部３５への接近を遮断し、また上下保護片１２は上下方向からの替刃の後端部３５への接近を遮断する。なお保護部材の形状、構造は任意である。【００２４】保護部材１３は折曲が可能であるかあるいは折り取り可能となっている。折曲あるいは折り取り方向は替刃の後端部３５とは反対の外側であり、図示の場合、保護部材１３の先端部２２を指先で挟むようにして溝部４から側方に折り取ることができる（図１１、１２  参照）。また同様に折り曲げることもできる（図示せず）。替刃の後端部３５を遮蔽するものがなく、後端部の刀身挿入口２７が露出した状態で、替刃装填室９に保持されている替刃を鋏本体に装着する。すなわち替刃装填室９の替刃に対して、替刃の後端部に開口する刀身挿入口２７から鋏の刀身３３を鞘部３９内に強制的に挿入すると、刀身３３に替刃２５が装着される（替刃の装着）。替刃の装着された鋏本体は替刃保持部材Ｂによる保持状態を離脱して替刃装着部２における替刃挿入口１５から取り出される。
【実施例２】
【００２５】実施例２の刃物の替刃装脱着器は、替刃リムーバ部１と替刃装着部２が別体として設けてある。替刃装脱着器Ａの替刃リムーバ部１と替刃装着部２は分離独立した形態をとり、替刃リムーバ部１と替刃装着部２を組み合わせて使用する。替刃リムーバ部１では鋏に装着されている替刃を鋏本体から取り外し、替刃装着部２では新たに替刃を鋏本体に装着する。【００２６】替刃リムーバ部についてみると、図１７において替刃リムーバ部１は、上面を平面状とする基台７０と、基台７０の後端に枢着された蓋部７１を備える。蓋部７１は軸部７２を中心として開閉し、最大で約３０度開くようになっている。蓋部７１を閉じたとき蓋部７１は基台７０の後部に突設された弾性支持体７３にほぼ水平方向に支持され、基台７０と蓋部７１からなる内部空間としての替刃収納室３が形成される。蓋部７１の上部前端の替刃挿入口５は替刃収納室３に通じている。鋏５０に装着された替刃を替刃挿入口５から替刃収納室３に挿入すると、替刃の先端部３６が弾性支持体７３（側面）と当接しその進入が阻止される。ストッパ（弾性支持体７３）による前後方向の位置規制により替刃２５は替刃収納室３の所定位置に配置される。なお替刃の基端部３５は替刃挿入口５から外側に突出している。【００２７】蓋部７１は同時に押圧部材となっており、替刃２５を押圧して替刃の前後方向の移動を阻止する。すなわち蓋部７１を押し下げると蓋部７１内面に当接した弾性支持体７３がやや扁平状あるいは下降状となって変形する。同時に蓋部７１内面が替刃（の鞘部３９）に当接して替刃を押圧する。この場合、替刃押圧部材Ａである蓋部７１（上壁）の裏面に形成されている凹凸部が替刃（鞘部３９）の凹凸部２６と対向し、これにより両凹凸部が係合する。なお本実施例における蓋部７１の裏面の凹凸部は、図１５に示される替刃押圧部材Ａの凹凸部（該当部分）と同じである。これにより替刃の前後方向の移動が阻止される。この状態において鋏本体を替刃挿入口５から引き抜くと鋏３０に装着されていた替刃２５が刀身３３から取り外される。取り外された替刃はそのまま替刃収納室３に配置される。【００２８】そしてリムーバ部１を適宜に傾けるなどし、替刃の先端部３６が弾性支持体７３の上面にくるまで替刃収納室３の替刃２５を後方に移動させた後、蓋部７１を開けてリムーバ部１から使用済みの替刃を取り出す。【００２９】図２２、２３において替刃装着部２についてみると、替刃装着部２はケース状であり、前端部の替刃挿入口１５は替刃装着部２の替刃装填室９に通じている。後壁６７がストッパとなり替刃挿入口１５から挿入される替刃２５の前後方向の位置を規制する。替刃装填室９の上壁内面には替刃挿入口１５から後壁まで延びる第１規制レール２０が形成され、替刃の鞘部３９の刃先１４側が第１規制レール２０と当接し、替刃の位置ズレを阻止する。【００３０】替刃保持部材Ｂは替刃装填室９に装填された替刃を保持する。この保持機能は実施例１と同じである。替刃保持部材Ｂは上壁６９との接続部を基端部１７とする爪片の形態をとる。替刃保持部材Ｂの裏面２７が替刃装填室９内に突出しており（図２４参照）、替刃装填室９に配置された替刃２５と当接すると、基端部１７を基点として撓む替刃保持部材Ｂが替刃装填室９の外側へ変位する。替刃は変位した替刃保持部材Ｂにより弾接状態で保持される。あるいは替刃保持部材Ｂの裏面の凹凸部が替刃の表面の凹凸部２６が対向し、替刃保持部材Ｂの弾性力により対向する両係合凹凸部が係合する。これにより少なくとも替刃装填室に配置された替刃が脱落しないように阻止する機能をもつ。なお本実施例の替刃保持部材Ｂにおける裏面の凹凸部は、図１６に示される替刃保持部材Ｂの凹凸部（該当部分）と同じである。【００３１】替刃装填室９に装填されている替刃に対しては、替刃の後端部において開口する刀身挿入口２７から鋏の刀身３３を鞘部３９内に強制的に挿入すると、刀身３３に替刃２５が装着される（替刃の装着）。替刃の装着された鋏本体は替刃保持部材Ｂによる保持状態を離脱して替刃挿入口５から取り出される。【００３２】なお替刃装填室９に装填された替刃は後端部３５が替刃挿入口１５の外側に露出している。替刃挿入口１５にはキャップ１６が着脱可能に装着される。キャップ１６は後端部３５に突出する刃体３７など替刃の後端部３５を保護する。ケース状の替刃装着部２を透明素材で形成するとし、替刃の装填状態が直ちに確認できる。
【産業上の利用可能性】
【００３３】このように構成された刃物の替刃装脱着器は、医療用鋏や事務用鋏の替刃装脱着器としてのみでなく、その他の刃物類を含む広い産業分野における利用が可能である。
【図面の簡単な説明】
【００３４】
【図１】  本発明の実施の際に用いられる替刃式の鋏の斜視図である。
【図２】  同鋏の一方の替刃を取り外した状態を示す鋏の斜視図である。
【図３】  同鋏の替刃を取り外した一方の刀身（全体）を示す拡大平面図である。
【図４】  同鋏用の替刃の拡大平面図である。
【図５】  同鋏用の替刃の背部側を示す正面図である。
【図６】  同鋏用の替刃の右側面図である
【図７】  本発明（実施例１）の刃物の替刃装脱着器の斜視図である。
【図８】  同替刃装脱着器の分解斜視図である。
【図９】  同替刃装脱着器を構成する替刃リムーバ部の断面図（但し替刃が装着されたもの）である。
【図１０】  同替刃装脱着器の平面図（但し替刃装着部に替刃が装填されているもの）である。
【図１１】  図１０の同替刃装脱着器であって、一方の保護部材が折り取られて分離した状態を示す平面図である。
【図１２】  図１０の同替刃装脱着器であって、一方の保護部材が完全に折り取られた状態を示す平面図である。
【図１３】  図１０の同替刃装脱着器の後端側からみた拡大図（但し替刃装着部に替刃が装填されていないもの）である。
【図１４】  図１０の同替刃装脱着器の後端側からみた拡大図（但し替刃装着部に替刃が装填されているもの）である。
【図１５】  図９の替刃リムーバ（断面図）における替刃押圧部材Ａの詳細を示す部分拡大断面である。
【図１６】  同替刃装脱着器を構成する替刃装着部に設けられる替刃保持部材の部分拡大断面図である。
【図１７】  本発明（実施例２）の刃物の替刃装脱着器を構成する替刃リムーバ部の斜視図である。
【図１８】  図１７の替刃リムーバ部（但し蓋部を開けた状態のもの）の正面図である。
【図１９】  同替刃リムーバ部（但し替刃を配置したもの）の一部破断正面図である。
【図２０】  同替刃リムーバ部（但し取り外された替刃を配置したものであって蓋部を開けた状態のもの）の正面図である。
【図２１】  同替刃リムーバ部（但し蓋部を閉じた状態のもの）の先端側から見た拡大図である。
【図２２】  本発明（実施例２）の刃物の替刃装脱着器を構成する替刃装着部（但しキャップを外し替刃の一部が挿入されている状態）を示す斜視図である。
【図２３】  図２２の替刃装着部（但しキャップを外し替が刃挿入されていない状態）を示す斜視図である。
【図２４】  替刃装着部（但しキャップを外し替刃が挿入されていない状態）の前端側からみた拡大図である。
【符号の説明】
【００３５】  Ａ  替刃押圧部材
Ｂ  替刃保持部材
１  替刃リムーバ部
２  替刃装着部
３  替刃収納室
４  溝部
５、１５  替刃挿入口
６  支持台
７  基端部
９  替刃装填室
１０  膨出部
１１  外側保護片
１２  上下保護片
１３  保護部材
１４  刃先
１６  キャップ
【図１】
0004798559.tif 000002
【図２】
0004798559.tif 000003
【図３】
0004798559.tif 000004
【図４】
0004798559.tif 000005
【図５】
0004798559.tif 000006
【図６】
0004798559.tif 000007
【図７】
0004798559.tif 000008
【図８】
0004798559.tif 000009
【図９】
0004798559.tif 000010
【図１０】
0004798559.tif 000011
【図１１】
0004798559.tif 000012
【図１２】
0004798559.tif 000013
【図１３】
0004798559.tif 000014
【図１４】
0004798559.tif 000015
【図１５】
0004798559.tif 000016
【図１６】
0004798559.tif 000017
【図１７】
0004798559.tif 000018
【図１８】
0004798559.tif 000019
【図１９】
0004798559.tif 000020
【図２０】
0004798559.tif 000021
【図２１】
0004798559.tif 000022
【図２２】
0004798559.tif 000023
【図２３】
0004798559.tif 000024
【図２４】
0004798559.tif 000025